Podtech/llm-jp-corpus-v4-ja_patent huggingface dataset:
(57)【要約】【課題】ゴミステーションにおけるゴミ袋の周囲を囲むことにより風による飛散及びカラスによる持ち出し、散乱を防止でき、しかも軽量で持ち運びに便利で所定場所での組立・設置及び使用後の折りたたみ・撤収・収納が簡単に出来る。【解決手段】方形状の軟質樹脂製ネット状パネル１を結合具２で連結しエンドレスとする。【選択図】　図３
0003097754.tif 000002
【実用新案登録請求の範囲】
【請求項１】
方形状の基枠・外枠のない樹脂製ネット状パネルであって、パネル同士を結合具で連結し任意の形状を可能とし、尚且つ簡単に折りたたみ・収納が出来るようにしたゴミ飛散防止囲い具。
【考案の詳細な説明】
【０００１】
【考案の属する分野】
本考案は、ゴミステーションにおける風・カラスによる飛散防止対策としての囲い具に関するものである。
【０００２】
【従来の技術】
従来の構造は、いずれも基枠・外枠が形成されている為、柔軟性に欠け設置形状が限定されている。例えば、特開２００２−３７４０３号、実用新案登録第３０６７５０４号、特開平６−２５５７０１号。
【０００３】
【考案が解決しようとする課題】
従来、ゴミステーションに置かれたゴミ袋に布或いはナイロン製のネットを掛け風による飛散防止及びカラスのいたずらによる飛散防止を図っているが、ゴミ袋に対するネットの掛りが充分でない場合、風或いはカラスによって飛散するケースが多い。又、最近はゴミ袋に対するネットの保持力が弱い為、カラスによるネットからの取り出しが出来るようになり飛散するケースが増えてきている。衛生上の問題、美観を損ねるという問題も発生している。本囲い具は軽量な樹脂製である為、簡単に設置・収納ができ、既製品の採用により安価な提供が可能となる。
【０００４】
【課題を解決する為の手段】
本考案は、ゴミ袋の周囲を方形状の連結された軟質樹脂（高密度ポリエチレン）ネット状パネルで囲むことによりゴミ袋のはみ出しを防止するとともに風・カラスによる飛散を防止するものである。
【０００５】
ゴミステーション上に常時物体を置くことは禁止されていることから樹脂製ネット状パネルの展開・設置・折り畳みが簡単でき、収納がすばやく出来るようにしたものである。
【０００６】
連結に使用する結合具は、大き目のものとすることにより折りたたみが簡単に出来ると同時に動きが大きく取れることによりステーションの地形及び状態にある程度あわせてセットすることが可能となる。
【０００７】
【考案の実施の形態】
図１に示すネット状パネル１は高密度ポリエチレン樹脂系軟質プラスチックを用い、大きさは任意であるが、大体、横１ｍ高さ６０ｃｍから１ｍくらいの四角形である。
【０００８】
図１に示す結合具２の材質は金属或いは樹脂・ゴム・布紐などである。
【０００９】
図１のネット状パネル１の数は少なくとも４枚以上を使用し、連続した連結体（エンドレス）であるが、場合によってはエンドレスでない長尺物でもよい。折り畳む事により任意の大きさに調整できる。
【００１０】
図１の結合具２の数は、３〜４個が適当であるが数は多くても構わない。
【考案の効果】
本考案は、上述のとおり構成されているので、次に記載する効果がある。
【００１１】
軟質樹脂製のネット状パネルである為、ゴミ袋の周囲に合わせて設置することができカラスによるゴミ袋の持ち出しが困難となる。同時に、風による散乱も防止することが出来る。又、変形はするが破損しにくい。
【００１２】
ゴミステーションに施設を固定化することは禁止されている為、軽量な方形状の樹脂製ネット状パネルを結合具で連結するのでゴミステーションでの設置及び折り畳み・収納が簡単でき、作業が迅速に行える。従来のものとは異なり基枠・外枠がない為、柔軟性に富み任意の形状にすることが可能となる。
【００１３】
樹脂で軽量な為、ゴミステーションへの持ち運び・設置が簡単に行え、ゴミ収集後の折りたたみ、撤収、収納が迅速に行える。
【００１４】
方形状の軟質樹脂ネット状パネルを隙間の大きい結合具で連結している為、丸型・箱型・その他いろいろな形状にすることが可能である。同時に、ゴミステーションのゴミの状況に応じ任意の形状に追随し変形が可能である。
【図面の簡単な説明】
【図１】本考案に係る樹脂ネット状パネルを箱型に設置した場合の側面図である。
【図２】本考案に係る樹脂ネット状パネルを箱型に設置した場合の平面図である。
【図３】本考案に係る樹脂ネット状パネルを箱型に設置した場合の斜視図である。
【図４】本考案に係る樹脂ネット状パネルを円形状に設置した場合の平面図である。
【図５】本考案に係る樹脂ネット状パネルを円形上に設置した場合の斜視図である。
【符号の説明】
１　樹脂ネット状パネル
２　結合具
【図１】
0003097754.tif 000003
【図２】
0003097754.tif 000004
【図３】
0003097754.tif 000005
【図４】
0003097754.tif 000006
【図５】
0003097754.tif 000007
(57)【要約】【課題】二輪車に乗る際に、手を雨等の悪天候に直接さらさないように保護し、快適な操作性を維持出来ることである。【解決手段】従来は手袋、ハンドルカバー等の防備が挙げられるが、全天候から得られる快適さを欠く要因を合わせ持っている。そこでそれまでの方法の雨具の装備と同様に、臨機応変な備えとして活用できるようにして解決させる方法を取る。この考案の特長として、簡単な構造から面倒無く使用が出来る。そして多数回連続使用しても回復が簡単に出来る。またハンドルと手を繋ぐ形状から二輪車のハンドル操作を集中させることも出来る。【選択図】　図１
0003097763.tif 000002
【実用新案登録請求の範囲】
【請求項１】
二輪車のハンドルカバーと腕カバーを一体型にした二輪車用の雨具。
【考案の詳細な説明】
【０００１】
【考案の属する技術分野】
本発明は二輪車用のレインコートの一種で、二輪車用ハンドルカバーと腕カバーの一体型の雨具である。
【０００２】
【従来の技術】
これまでの雨天時は雨具を上下着用し、手は手袋、ハンドルカバー等で防ぐ方法が挙げられた。しかし手袋は数回脱着すると使いづらくなってしまい、ハンドルカバーは付け外し、持ち運びを容易に出来なかった。そして結果的には手は諦めて雨にさらしてしまう状況であった。
【０００３】
【発明が解決しようとする課題】
手を雨等に直接さらさないように保護し、快適な操作性を維持出来ることである。そして天候による負担を軽減させることである。
【０００４】
【課題を解決するための手段】
雨具と同様に携帯出来るようにし、単純な構造により多数回の使用時にも防水性を簡単に回復出来るようにする方法である。
【０００５】
【考案の実施の形態】
ハンドルと手をまとめて覆う方法を取る。ハンドルと手の交差から直角的な筒状とし、安全性を考え開閉出来るようにして簡単に付け外し出来るようにする。
【０００６】
【実施例】
図１は自転車、図２はスクーターを想定したものである。
開閉方法はマジックテープ（登録商標）を例に考えている。車種、形状等によりサイズ、仕様の必要性もある。
【考案の効果】
二輪車を悪天候にも対処出来るようにし、集中したハンドル操作で運転も安全に行える。そして簡単な仕組みであるため誰でも雨対策として使用が出来る。
【図面の簡単な説明】
【図１】自転車用の物とハンドルの例を示した図である。
【図２】スクーター用に形を切った物とハンドルの例を示した図である。
【図３】カウル付きのバイクのハンドルを例に内部構造を示した図である。
【図４】正面からみた内部の状態を示した図である。
【符号の説明】
１　防具
２　自転車のハンドル
３　ミラーステー避け
４　ブレーキホース避け
５　スクーターのハンドル
６　水避けの断面図
７　カウル付きのバイクのミラーとカウル
８　正面からの防具
９　取っ手
１０　ハンドル側の水避け
１１　ハンドル
１２　手
【図１】
0003097763.tif 000003
【図２】
0003097763.tif 000004
【図３】
0003097763.tif 000005
【図４】
0003097763.tif 000006
(57)【要約】【課題】連続的な指先移動を必要とするゲーム機器の押しボタン式コントローラーやスイッチに対してより容易に、より速い操作を楽しむ事ができ又摩擦より指先を保護する事のできる両面使用のゲーム機器用指サックを得る。【解決手段】外側の面に平滑な合成樹脂フィルム等２枚又は複数枚を重ね合わせて指サック状に裁断し周縁を融着する。ただし指の挿入口は融着しない事で袋状の指サックを成形する。【選択図】　　　　　図１
0003097778.tif 000002
【実用新案登録請求の範囲】
【請求項１】
合成樹脂製フィルム等でニ枚または複数枚を重ね合わせ、指サック状に裁断し、周縁を融着する事で得られるフィルム素材の適度な柔軟性と平滑面による低摩擦得る袋状のゲーム機器用指サック。
【請求項２】
フィルムの指挿入口に、わずかな欠き込み又は段差を設け、袋状フィルムの端部に数か処の放湿孔を設けた請求項１のゲーム機器用指サック。
【考案の詳細な説明】
【０００１】
【考案の属する技術分野】
本考案は、ゲーム機器の使用者がコントローラー及び操作パネルの押しボタン類の指先操作を楽しむ事を目的として、指先に着用する指サックに関するものである。
【０００２】
【従来の技術】
従来、ゲーム機用指サックとしては、図４に示す例が知られている。ゴム製又は合成樹脂製で先細円筒状をなす指サック基体、イは指サック基体の甲側、ロはその腹側である。その胴部に、下端側から１又は複数のスリットを設けると共に、先端側に硬質且つ滑りが良好で指先形状になぞらえたハの補強カバーを一体に設けて成る事を特徴とするものである。（実開平６３４６１６号参照）
【０００３】
【考案が解決しようとする課題】
従来の技術では、指サック素材に厚みがあり部分的に硬質なので、指サック着用時には押しボタンとの間に厚さ分の距離があり違和感を覚える。また発汗の放湿対策がなく着用する向きが限られ、形状を維持したうえでの携帯性が良くない。ところが、問題である。
【０００４】
本考案は、従来の技術の有するような問題点に鑑みてなされたものであり、その目的とするところは、指先操作の円滑性と指先を摩擦から保護する指サックであり、平面的かつシンプルなフィルム袋構造を成し放湿孔のある携帯性も良く両面使用できる指サックを提供しようとするものである。
【０００５】
【課題を解決するための手段】
上記目的を達成するために、本考案における指サックは外側の面に平滑な合成樹脂フィルム等２枚又は複数枚を重ね合わせて、指サック状に裁断し周縁を融着し、指の挿入口は融着しない事で、フィルム材の適度な柔軟性と平滑面による摩擦の少ない袋状の指サックを成形する事である。
【０００６】
【考案の実施の形態】
図１において１は裏表の２面を構成する合成樹脂フィルム等で、２の破線で示す周縁部を融着し袋状を成すものである。３の様な欠き込み又は段差をつける事により指先の挿入を容易にし、４の放湿孔で発汗による不快を抑える事ができる。
【０００７】
上記のように構成される、本考案のゲーム機器用指サックの１例は、これを着用し押しボタン式のゲーム機器の指先操作を楽しむ場合、指サックのフィルムの適度な柔軟性と平滑な面により摩擦が少なく滑る様に上下左右等の連続的指先移動がより容易により速く行う事が可能である。
【０００８】
尚、上記実施の形態の一例においては、合成樹脂等フィルム２枚の融着構成であるが、複数枚の構成では又違った質感、操作感を得る事が可能である。
【０００９】
【考案の効果】
本考案は、上述の通りであり、本考案ゲーム機器用指サックの着用により押しボタン式のゲーム機器におけるコントローラーやスイッチに対し指先の上下左右等の連続的指先移動が滑る様に容易に速く行う事が出来、長時間の使用でも指先を摩擦から守る事ができる。発汗対策として放湿孔を設ける事で不快感が抑えられる。着用時は、指先挿入口の欠き込み又は段差により指先を入れやすく、又素材の薄さ故の使用感や携帯性も良好である。
【図面の簡単な説明】
【図１】本考案ゲーム機器用指サックの平面図である。
【図２】図１の断面図である。
【図３】図１の立体図である。
【図４】従来のゲーム機用指サックの側面図である。
【図５】従来のゲーム機用指サックの断面図である。
【符号の説明】
１　合成樹脂フィルム等の素材
２　融着部を破線で示す
３　欠き込み又は段差
４　放湿孔
【図１】
0003097778.tif 000003
【図２】
0003097778.tif 000004
【図３】
0003097778.tif 000005
【図４】
0003097778.tif 000006
【図５】
0003097778.tif 000007
(57)【要約】【目的】片手でも、簡単にペーパーが取り出せてカットできる。【構成】ペーパーホルダー（３）のカバー（２）にＬ字型ロール押さえ（１）を成型したもの。【選択図】図１
0003097798.tif 000002
【実用新案登録請求の範囲】
【請求項１】
ペーパーホルダーのカバー（２）裏側の先端にロール押さえＬ字型（１）をつける。
【考案の詳細な説明】
【００１】
【考案の属する技術分野】
この考案は、ロール押さえＬ字型（１）をカバー（２）裏面の先端に成型し片手で簡単にミシン糸目より切り取れるもの。
【００２】
【従来の技術】
従来、いろいろのペーパーホルダー（３）は、あったがいずれも最初は片手でカバーを持ち上げ他の手でペーパーを引っ張り出し両手で適当な長さまで引き出し又片手でカバー（２）を押さえ他の手でペーパーを上に引っ張り切り取った。
他にカバー（２）が、スプリングの力で浮き上がりを押さえカバー（２）にギザギザのカッター刃をつけた商品があるがいずれにしても従来と同じ動作をしなくてはならない。
【００３】
【考案が解決しようとする課題】
この考案は、片手でもペーパーがつまみ出せて、両手で適当な長さに引きだし片手でも切り取れるようにしたもの。
【００４】
【問題を解決するための手段】
いまこれを図面について説明すればＬ字型（１）をカバー（２）裏面の先端に成型した構造である。
【００５】
【考案の実施の形態】
以上の構造であるから、Ｌ字型のロール押さえ（１）とカバー（２）の間にペーパーを通しそのペーパーを水平より少し下方に引っ張るとＬ字型ロール押さえ（１）は、ロールを押えてカバー（２）の先端より４センチ位出てミシン糸目より切り取れる。
【００６】
【考案の効果】（１）
したがって、片手でカバー（２）を押さえながら他の手でペーパーを引っ張り上げなくとも片手で簡単にペーパーは切り取れ身体障害の人でも容易に使用出来しかも、従来と同じ方法でも使用できる。
【図面の簡単な説明】
【図１】本考案の斜視図である。
【符号の説明】
１　Ｌ字型ロール押さえ　　２　カバー　　３　ペーパーホルダー
【図１】
0003097798.tif 000003
(57)【要約】　　　（修正有）【課題】風雪が防雪柵に対して垂直方向からではなく、斜めから吹き付けても，防雪柵の防雪効果を維持できる整風板付防雪柵を提供する。【解決手段】防雪柵の風上側３、つまり道路に対して反対側に，防雪柵の並ぶ方向に対して垂直を含む一定角方向に、一定幅一定高さの整風板４を鉛直に一定間隔で取り付ける。【選択図】　　図１
0003097796.tif 000002
【実用新案登録請求の範囲】
【請求項１】
防雪柵の風上側に当たる背面に防雪柵の並ぶ方向に対して直角を含む一定角方向に防雪柵の高さとほぼ同じ高さで，５０ｃｍないし１ｍ程の一定幅の整風板が間隔を置いて鉛直に取り付けられている事を特徴とする整風板付防雪柵。
【請求項２】
既存の防雪柵の背面に、防雪柵の並ぶ方向に対して直角を含む一定角方向に鉛直に取り付けて整風板付防雪柵にするための防雪柵の高さとほぼ同じ高さで，５０ｃｍないし１ｍ程の一定幅の整風板。
【請求項３】
整風板の角度が変えられるようになっていることを特徴とする請求項１記載の整風板付き防雪柵。
【考案の詳細な説明】
【０００１】
【考案の属する技術分野】
道路の脇に設置する防雪柵に関する。
【０００２】
【従来の技術】
積雪地帯においては降雪期に道路に雪を積もらせないための防雪柵を道路の脇に設置することがある。防雪柵には大きく分けて吹き払い式と吹き止め式がある。吹き払い式は水平方向に対してある角度を付けた防雪板を多段重ねて設置することにより、風を道路面に吹き付けて雪を吹き払う方式であるのに対し、吹き止め式は防雪板の壁を形成し風を通さないで雪をその影に溜めておく方式である。
【０００３】
しかしいずれの防雪柵も、防雪柵に対して風雪が垂直に吹き付ける場合に最大効果を発揮するように設計されており，風雪が防雪柵に対し斜めに当たる場合にはその効果は低くならざるを得なかった。
【０００４】
例えば風雪が防雪柵に対して斜めに吹きつけたとき，雪が防雪柵の風下側に巻き込まれて道路側に雪の吹き溜まりができてしまったりした。
【０００５】
【考案が解決しようとする課題】
風雪が防雪柵に対して垂直方向からずれて、斜めから吹き付けても，防雪柵の防雪効果を維持できる方法を提供する。
【０００６】
【課題を解決するための手段】
本考案は上記問題に鑑みてなされたものであり、防雪柵の背面の風上側、つまり道路に対して反対側に，防雪柵の並ぶ方向に対して垂直方向を含む一定角方向に整風板を一定間隔で鉛直に取り付ける。
【０００７】
【作用】
上記考案によれば、防雪柵に対して斜めに風が吹き付けても防雪柵に対して平行な成分は整風板により阻止されて、垂直な成分が防雪柵にあたるようになるので、防雪柵は本来の性能を発揮できる。
【０００８】
【実施例】
本考案の実施例を図面に基づいて説明すると、図１は横に長い防雪柵の１部を背面から眺めた斜視図であり、鉛直部１の上に約１ｍの高さの忍び返し部２が付いた，全体の高さ約５ｍの吹止式防雪柵である。この防雪柵の背面、つまり風上側３に防雪柵に対して垂直に幅約１ｍで，鉛直部１とほぼ同じ高さの整風板４が一定間隔で防雪柵に取り付けられている。
【０００９】
この整風板は防雪柵の設計段階で最初から組み込んでおくのが最良策であるが、比較的簡単な構造で、かつそれほど重量があるわけではないので、既存の防雪柵に後から取り付けて防雪柵の性能を改善する事もできる。
【００１０】
実施例の２として、図示はしないが、吹払式の防雪柵にもまったく同じように防雪柵に対して垂直に幅約１ｍの整風板を一定間隔で取り付けて防雪柵の性能を向上させる事もできる。
【００１１】
【考案の効果】
以上述べてきたように，本考案の防雪柵によれば、風雪が防雪柵に対して斜めに吹き付けても整風板が防雪柵に対して平行な成分を阻止するので，防雪柵の効果を維持できる。
【図面の簡単な説明】
【図１】本考案の垂直整風板付防雪柵の１部を背面から眺めた斜視図。
【符号の説明】
１　鉛直部
２　忍び返し部
３　風上側
４　整風板
【図１】
0003097796.tif 000003
(57)【要約】　　　（修正有）【課題】素人でも既存の換気口に簡単に取付け、取り外しができ、取り外し時に容易に内部点検及び清掃ができさらにフィルターの円の直径を変える事によりどんなタイプの換気口にも対応でき、かつ、経済的負担が少ない簡易空気清浄フィルターを提供する。【解決手段】壁の既存換気口（部屋内部側）に不織布を使った花粉対策用布を、半円球形に作り、１、強風時でも形状が変形しないように不織布を厚くかためて芯（または鉄製の芯）を入れ２、貼り付ける。【選択図】図１
0003097800.tif 000002
【実用新案登録請求の範囲】
【請求項１】
既存の換気口に簡昜空気清浄フィルターを設け、外気を、フィルターを通す事により室内へ清れいな空気を取り入れようとする簡昜空気清浄フィルター
【考案の詳細な説明】
【０００１】
〔考案の属する技術分野〕
本考案は既存の換気口に簡昜空気清浄フィルターを設けたフィルターに関するものである。
【０００２】
〔従来の技術〕　住宅の換気口には防虫網ついたものまたは新しい換気口では空気清浄フィルターの付いたものはあるが既存の換気口に後付け出来るものはない。
【０００３】
〔考案が解決しょうとす課題〕
既存の換気口に不織布の空気清浄フィルターを取り付ける事により従来の換気口では、防虫網で虫の進入を防ぐだけのものであったが花粉、排気ガス、排煙等の室内への取り入れを防止しようとする物でありまた、空気清浄フィルター付換気口に既存の換気口を取り替えるのは経済的負担も大きい、従って住宅内部の既存換気口にワンタッチで空気清浄フィルターを取り付ける事により前述の欠点を解決しようとするものである。
【０００４】
〔課題を解決するための手段〕
不織布フィルターを半円球の形状の物をつくり既存換気口部屋内部分と接合し（換気口本体にフィルターを組み込むのではなく）空気を清浄する事により問題点を解決している
【０００５】
〔考案の実施の形態〕
換気口内部側に換気口を開にした状態で花粉対策用マスク布を、半球形に加工したものまたは、円形の筒状にしたプラスチックの物に花粉対策用布を貼付けたものを両面テープで接合する
【０００６】
〔実施例〕
以下添付図面に従って一実施例を説明する
１は、花粉対策用布を半球形に加工したもの
２は、円形の筒状にしたプラスチックの台に花粉対策用布を貼付けたもの
３は、花粉対策用布を取替え出る様に加工したもの
〔考案の効果〕
上述の様に、簡昜に既存換気口に空気清浄フィルターを取り付けが可能花粉対策、排車等の排気ガス対策、工場等の排煙ガス対策などに役立つ
【図面の簡単な説明】
【図１】本考案の簡昜空気清浄フィルター実施例１の正面図である
【図２】本考案の簡昜空気清浄フィルター実施例１の切欠断面図である
【図３】本考案の簡昜空気清浄フィルター実施例２の正面図である
【図４】本考案の簡昜空気清浄フィルター実施例２の切欠断面図である
【図５】本考案の簡昜空気清浄フィルター実施例３の正面図である
【図６】本考案の簡昜空気清浄フィルター実施例３の切欠断面図である
【符号の説明】
１　花粉対策用布（不織布）
２、花粉対策用布の厚めにして折れにくくした部分
３、既存換気口
４、両面テープ
５、プラスチック又は金属の台
６、プラスチック又は金属の枠（ケース）
７、プラスチック又は金属の台
８、フィルターのカートリッジ枠
９、取手
１０、プラスチック又は金属のメッシュ
【図１】
0003097800.tif 000003
【図２】
0003097800.tif 000004
【図３】
0003097800.tif 000005
【図４】
0003097800.tif 000006
【図５】
0003097800.tif 000007
【図６】
0003097800.tif 000008
(57)【要約】【目的】熟練者でなくても頭髪カットが容易に出来る、調髪器具（ブラコーム）を提供する。【構成】本体１３に、櫛部１を櫛止め５で接合し、櫛部収納口７と櫛差込口８に回転させながら収まるようにする。ブラシ部１０は、本体１３のブラシ部取付け用溝６に、ブラシ部差込用凸部１１をスライドさせて結合する構造とする。本体１３の柄４には、櫛の取り出しがスムースに行えるように、櫛取り出し用欠き込み９を設ける。【選択図】　図４
0003097624.tif 000002
【実用新案登録請求の範囲】
【請求項１】
ブラシとクシを組み合わせた調髪器具。
【考案の詳細な説明】
【０００１】
【産業上の利用分野】
本考案は、ブラシとクシを組み合わせた、頭髪カットの調髪器具に関するものである。
【０００２】
【従来の技術】
従来、頭髪カットは理容師の様な熟練した人が、櫛を巧みに動かし、頭皮から適度な位置で櫛を固定させカットし、頭髪全体の髪の長さを整えています。
【０００３】
【考案が解決しようとする課題】
近年では、家庭内で調髪をする風潮もあります。
しかしながら、熟練者でない人が、頭髪カットをしようとすると往々にして虎刈り状態になってしまいます。
本考案は、そうした失敗をなくすためになされたものである。
【０００４】
【課題を解決するための手段】
ブラシ部１０と櫛部１を本体１３に設ける。
ブラシ部は、取り外しが出来るようにして、毛の長さが異なるものと交換出来るようにする。
ブラシ部１０と櫛部１は、所定の角度を形成する。
本考案は、以上のような構成よりなる調髪器具である。
【０００５】
【作用】
虎刈りになるのは、櫛を頭皮から適度な位置で固定させることが出来ないために、櫛を移動させる度に櫛の位置が頭皮からまちまちになる。このため、カットした時に髪の長さが不揃いになってしまう。
本考案は、ブラシ部１０と櫛部１の位置が固定されている為、頭皮から髪をカットする位置が常に一定に保たれ、髪の長さを均一に揃えてカットできる。又、髪をカットする時は、ブラシの毛３の先端が頭皮に接しているため安定感がある。
【０００６】
【実施例】
以下、本考案の実施例を図１０に基づいて説明する。
（イ）ブラシの毛３を下に、櫛歯２を頭髪側に向けて柄４を持つ。
（ロ）櫛歯２で頭髪を下から上にかき上げるようにして頭皮に当てる。
（ハ）次に、柄４を回転させブラシの毛３の先端を頭皮に当てる。
（ニ）頭皮と櫛歯２の間の髪を鋏で押さえ、櫛歯２からはみ出した髪を鋏でカットする。ブラシの毛の長さに髪の毛が揃えられる。
【０００７】
【考案の効果】
本考案のブラコームを使用することにより、熟練者でなくても容易に頭髪のカットができる。又、ブラシ部１０を交換し毛の長さを換えることにより、髪の長さの調整も楽に行える。
【図面の簡単な説明】
【図１】本考案の平面図。
【図２】本考案の側面図。
【図３】図２のＡ線及び、Ｂ線の断面図。
【図４】本考案の斜視図。
【図５】ブラシ部の交換例斜視図。
【図６】他の形態の平面図。
【図７】他の形態の側面図。
【図８】図７のＣ線及び、Ｄ線の断面図。
【図９】他の形態の斜視図。
【図１０】本考案の実施例図。
【符号の説明】
１　櫛部
２　櫛歯
３　ブラシの毛
４　柄
５　櫛止め（櫛回転用軸）
６　ブラシ部取付け用溝
７　櫛収納口
８　櫛差込口
９　櫛取り出し用欠き込み
１０　ブラシ部
１１　ブラシ部差し込み用凸部
１２　櫛収納部
１３　本体
【図１】
0003097624.tif 000003
【図２】
0003097624.tif 000004
【図３】
0003097624.tif 000005
【図４】
0003097624.tif 000006
【図５】
0003097624.tif 000007
【図６】
0003097624.tif 000008
【図７】
0003097624.tif 000009
【図８】
0003097624.tif 000010
【図９】
0003097624.tif 000011
【図１０】
0003097624.tif 000012
【手続補正書】
【提出日】平成15年4月16日(2003.4.16)
【手続補正１】
【補正対象書類名】明細書
【補正対象項目名】実用新案登録請求の範囲
【補正方法】変更
【補正の内容】
【実用新案登録請求の範囲】
【請求項１】
ブラシ部１０と櫛部１とからなる調髪器具であって、ブラシ部１０のブラシの毛３と、櫛部１の櫛歯２とが、直角を形成して整列するように本体１３に、組み込んだ調髪器具。
(57)【要約】【課題】本考案は、飲酒運転撲滅の為、正確に手軽に安価に呼気に含まれるアルコール検査ができる機器を一般大衆に提供するものである。【解決手段】アルコール検知器１の回路を切断し３０秒設定したコインタイマー２にパルス変換リレー基盤３を組み込みカールコード４で１と２を接続させて１回ワンコインで使用できるレンタル器にした。これを多種多様な店舗に設置し、いつでも必要な時に正確に手軽に安価に利用できるようにした。【選択図】図３
0003097625.tif 000002
【実用新案登録請求の範囲】
【請求項１】
アルコール検知器にコインタイマーを接続させ一般大衆に安価にて時間貸しすることにより、多くの利用を促し飲酒運転の撲滅を図る検知器
【考案の詳細な説明】
【０００１】
【考案の属する技術分野】
本考案は、コインタイマーとアルコール検知器からなる収益用レンタル機に関する。
【０００２】
【従来の技術】
ワンコインで利用できるアルコール検知器が存在しなかった。
【０００３】
【考案が解決しようとする課題】
飲酒した者が何時間経過すれば医学的かつ合法的に安全運転可能か判断する方法は、高価なアルコール検知器を自ら購入するしかないという問題点を有していた。
【０００４】
【課題を解決するための手段】
本考案は、アルコール検知器とコインタイマーという構成を具備することで一般大衆に時間貸しできるようにすることで正確に手軽に安価にアルコール検査を出来るようにして上記課題を解決するものである。
【０００５】
【考案の実施の形態】
図１に示すようにアルコール検知器１の回路接点の１箇所を切断する。次に、図２に示すようにＡＣ電源用コインタイマー２にパルス変換リレー基盤３を組み込み固定する。
【０００６】
図３に示すように市販の電話用カールコード４を図１で切断したアルコール検知器１の回路に半田付により固定する。また図２のパルス変換リレー基盤３を組み込んだ３０秒設定したコインタイマー２の端子にもう一方のカールコード４を接続させる。
【０００７】
上記工程により完成した本考案のコインタイマー付きアルコール検知器は、ワンコインで１回呼気に含まれるアルコール濃度を測定することが出来る。
【０００８】
【考案の効果】
お酒を飲んだあと呼気に含まれるアルコールが抜けるのは個人差があります。正確に手軽に安価にアルコール検査が出来るため、飲酒運転に対する自己管理が出来るようになる。
【図面の簡単な説明】
【図１】本考案に係るアルコール検知器の回路切断図である。
【図２】本考案に係るコインタイマーのパルス変換リレー基盤取り付け回路図である。
【図３】本考案に係る内部接続の全体図である。
【符号の説明】
１・・・アルコール検知器
２・・・コインタイマー
３・・・パルス変換リレー基盤
４・・・カールコード
５・・・コインタイマーとアルコール検知器の半田付け接続部
【図１】
0003097625.tif 000003
【図２】
0003097625.tif 000004
【図３】
0003097625.tif 000005
【手続補正書】
【提出日】平成15年4月16日(2003.4.16)
【手続補正１】
【補正対象書類名】明細書
【補正対象項目名】実用新案登録請求の範囲
【補正方法】変更
【補正の内容】
【実用新案登録請求の範囲】
【請求項１】
ＤＣ３Ｖにて作動する携帯型アルコール検知器の電池端子と、出力ＡＣ１００Ｖのコインタイマーの間に、入力ＡＣ１００Ｖ出力ＤＣ３Ｖのスイッチングレギュレーターを組み込み、それぞれ半田付により固定することで一般大衆に安価にて時間貸しできるようにしたアルコール検知器。
【手続補正２】
【補正対象書類名】明細書
【補正対象項目名】０００５
【補正方法】変更
【補正の内容】
【０００５】
【考案の実施の形態】
図１に示すようにアルコール検知器１の電池端子２に、電池に代えてカールコード４を経てスイッチングレギュレーター３の出力端子ＤＣ３Ｖとを半田付する


【手続補正３】
【補正対象書類名】明細書
【補正対象項目名】図面の簡単な説明
【補正方法】変更
【補正の内容】
【図面の簡単な説明】
【図１】本考案に係るアルコール検知器の回路変更図である。
【図２】本考案に係るコインタイマーのスイッチングレギュレーター取り付け回路図である。
【図３】本考案に係る電気回路接続の全体図である。
【符号の説明】
１・・・アルコール検知器
２・・・電池端子
３・・・入力ＡＣ１００Ｖ出力ＤＣ３Ｖのスイッチングレギュレーター
４・・・カールコード
５・・・コインタイマー


【手続補正４】
【補正対象書類名】図面
【補正対象項目名】全文
【補正方法】変更
【補正の内容】
【図１】
0003097625.tif 000006
【図２】
0003097625.tif 000007
【図３】
0003097625.tif 000008
【手続補正５】
【補正対象書類名】明細書
【補正対象項目名】０００６
【補正方法】変更
【補正の内容】
【０００６】
図２に示すようにコインタイマー５の出力端子ＡＣ１００Ｖに、スイッチングレギュレーター３のもう一方の入力端子ＡＣ１００Ｖを半田付する。スイッチングレギュレーター３をコインタイマー５に内蔵する。図３に示すようにこれにてカールコード４を経由してアルコール検知器１とコインタイマー５が接続される。
(57)【要約】【課題】歯列方向にスライドしてブラシ毛が歯の三面又は二面に同時に当たり歯の三面又は二面を同時に磨ける歯ブラシ。【解決手段】歯ブラシＡは、柄１と首部２とブラシ台３を有するようにプラスチック樹脂で一体成形された歯ブラシ本体と、ブラシ台３に植設されたブラシ毛４とからなる。ブラシ台３は、奥歯に被さるＵ溝状に形成されていて、かつ断面形状が柄に対して対称的であり、ブラシ毛４は、Ｕ溝の三面に植設されている。歯列方向にスライドしてブラシ毛４が奥歯Ｔの正面と歯列外側面と歯列内側面の三面に摺接して歯の三面を同時に磨ける。【選択図】　図１
0003097630.tif 000002
【実用新案登録請求の範囲】
【請求項１】
奥歯に被さるＵ溝状ブラシ台を柄の先部分に有する歯ブラシ本体と、Ｕ溝状ブラシ台のＵ溝面に植設されたブラシ毛とからなり、Ｕ溝状ブラシ台の断面形状が柄に対して対称的であり、歯列方向にスライドして歯の三面を同時に磨ける構成であることを特徴とする歯ブラシ。
【請求項２】
奥歯の正面と側面の二面に被さるアングル状ブラシ台を柄の先部分に有する歯ブラシ本体と、アングル状ブラシ台の内側面にブラシ毛が植設され、アングル状ブラシ台の断面形状が柄に対して対称的であり、歯列方向にスライドして歯の正面と側面の二面を同時に磨ける構成であることを特徴とする歯ブラシ。
【考案の詳細な説明】
【０００１】
【考案が属する技術分野】
本願考案は、人用の歯ブラシに関し、特に、歯列方向にスライドしてブラシ毛が歯の三面又は二面に同時に当たり歯の三面又は二面を同時に磨ける歯ブラシに関する。
【０００２】
【従来の技術】
従来の歯ブラシは、例えば、実公平０８−００８６５４や実公平０８−００３２９７に示すように、柄部と首部とブラシ台とからなる歯ブラシ本体と、そのブラシ台部に植設されたブラシ毛を備えた歯ブラシであり、ブラシ台は、平面的であった。
歯列方向にスライドしてブラシ毛が歯の三面又は二面に同時に当たり歯の三面又は二面を同時に磨ける歯ブラシは無かった。
【０００３】
【考案が解決しようとする課題】
本願考案は、歯列方向にスライドしてブラシ毛が歯の三面又は二面に同時に当たり歯の三面又は二面を同時に磨ける歯ブラシを提供することを目的としている。
【０００４】
【課題を解決するための手段】
〔請求項１〕に記載の考案は、奥歯に被さるＵ溝状ブラシ台を柄の先部分に有する歯ブラシ本体と、Ｕ溝状ブラシ台のＵ溝面に植設されたブラシ毛とからなり、Ｕ溝状ブラシ台の断面形状が柄に対して対称的であり、歯列方向にスライドして歯の三面を同時に磨ける構成であることを特徴とする歯ブラシを提供するものである。
〔請求項２〕に記載の考案は、奥歯の正面と側面の二面に被さるアングル状ブラシ台を柄の先部分に有する歯ブラシ本体と、アングル状ブラシ台の内側面にブラシ毛が植設され、アングル状ブラシ台の断面形状が柄に対して対称的であり、歯列方向にスライドして歯の正面と側面の二面を同時に磨ける構成であることを特徴とする歯ブラシを提供するものである。
【０００５】
【考案の実施の形態】
図１は〔請求項１〕に記載の考案の実施の形態に係る歯ブラシを示す。
図１（ａ）に示すように、この歯ブラシＡは、柄１と首部２とブラシ台３を有するようにプラスチック樹脂で一体成形された歯ブラシ本体と、ブラシ台３に植設されたブラシ毛４とからなる。
そして、図１（ａ）に示すように、ブラシ台３は、奥歯に被さるＵ溝状に形成されていて、かつ断面形状が柄に対して対称的であり、図１（ｂ）に示すように、ブラシ毛４は、Ｕ溝の三面に植設されている。
従って、歯列方向にスライドしてブラシ毛４が奥歯Ｔの正面と歯列外側面と歯列内側面の三面に摺接して歯の三面を同時に磨ける構成である。
【０００６】
前歯に付いては、歯の歯列外側面と歯列内側面が三角に交わるので、ブラシ毛４が前歯の歯列外側面と歯列内側面のいずれか一方に摺接するとき他方に対した若干離れるが歯歯ブラシＡを歯列方向にスライドするときに手振れがあるから、反復スライドすることによりブラシ毛４が前歯の歯列外側面と歯列内側面の両方に対して摺接して前歯の歯列外側面と歯列内側面を磨くことができる。
【０００７】
図２は〔請求項２〕に記載の考案の実施の形態に係る歯ブラシを示す。
図１（ａ）に示すように、この歯ブラシＢは、柄５と首部６とブラシ台７を有するようにプラスチック樹脂で一体成形された歯ブラシ本体と、ブラシ台７に植設されたブラシ毛８とからなる。
そして、図２（ａ）に示すように、ブラシ台７は、奥歯に被さるアングル状に形成されていて、かつ断面形状が柄に対して対称的であり、ブラシ毛８は、ブラシ台７の直角二面に植設されている。
従って、図２（ｂ）に示すように、使用時に歯列方向にスライドしてブラシ８が奥歯Ｔの正面と歯列外側面の二面に摺接して歯の二面を同時に磨けるとともに、柄５を捻って位置を変えれば、図２（ｃ）に示すように、使用時に歯列方向にスライドしてブラシ８が奥歯Ｔの正面と歯列内側面の二面に摺接して歯の二面を同時に磨ける構成である。
【０００８】
【考案の効果】
〔請求項１〕に記載の考案は、歯列方向にスライドして歯の三面を同時に磨ける歯ブラシを提供することができる。
〔請求項２〕に記載の考案は、歯列方向にスライドして歯の正面と側面の二面を同時に磨ける歯ブラシを提供することができる。
【図面の簡単な説明】
【図１】請求項１に記載の考案の実施の形態に係る歯ブラシを示すもので、（ａ）は全体正面図、（ｂ）は使用状態におけるブラシが奥歯の正面と歯列外側面と歯列内側面の三面に摺接する状態を示す図。
【図２】請求項２に記載の考案の実施の形態に係る歯ブラシを示すもので、（ａ）は全体正面図、（ｂ）は使用状態におけるブラシが奥歯の正面と歯列外側面の二面に摺接する状態を示す図。
（ｃ）は使用状態におけるブラシが奥歯の正面と歯列内側面の二面に摺接する状態を示す図。
【符号の説明】
Ａ・・・歯ブラシ、１・・・柄、２・・・首部、３・・・ブラシ台、４・・・ブラシ毛、Ｔ・・・奥歯、Ｂ・・・歯ブラシ、５・・・柄、６・・・首部、７・・・ブラシ台、８・・・ブラシ毛、
【図１】
0003097630.tif 000003
【図２】
0003097630.tif 000004
(57)【要約】　　　（修正有）【課題】従来より一般的に使用されている様々な形状の酒徳利に対応し、酒の燗付け及び保冷を行う事が出来、外側容器より取り出した濡れた徳利による机等の濡れを防止し、直接手で取り扱うには持ちにくく危険であった外側容器を容易に安全に取り扱うことが出来るようにする。【解決手段】大きな開口部を持つ外側容器１に取手３を付け、その取手３に手提げ４を取り付ける。又大きな開口部を持つ外側容器１の中に酒徳利２を入れ熱湯又は氷水８を大きな開口部を持つ外側容器１と酒徳利２の間に満たす。その上より酒徳利の口径に合わせて穴７をあけたフチあご６付き穴開き木蓋５をかぶせ蓋をする。【選択図】　　図２
0003097621.tif 000002
【実用新案登録請求の範囲】
【請求項１】
大きな開口部を持つ取手、手提げ付き外側容器と酒徳利、及びフチあご付き穴開き木蓋を組み合わせた湯燗冷酒器
【考案の詳細な説明】
【０００１】
【考案の属する技術分野】
本考案は、大きな開口部を持つ取手３、手提げ４付き外側容器１と酒徳利２、及びフチあご６付き穴７開き木蓋５を組み合わせ、熱湯及び氷水８を使用し、酒の燗付け及び保冷を行うものである。
【０００２】
【従来の技術】
従来熱湯及び氷水を使用し酒の燗付け及び保冷を行う方法は、保温性を確保するため外側容器開口部と内側の徳利上部の隙間の出来ない形状でした。そのため酒徳利は専用のものしか使用できなかった。又熱源に熱湯及び氷水を使用しているため外側容器より取り出した酒徳利の外側は常に濡れており、机等を濡らしてしまう欠点があった。又外側容器は内部に熱湯及び氷水があり直接手で取り扱うには持ちにくく危険であった。
【０００３】
【考案が解決しようとする課題】
本考案は、従来より一般的に使用されている様々な形状の酒徳利に対応し、酒の燗付け及び保冷を行う事が出来、外側容器より取り出した濡れた徳利による机等の濡れを防止し、直接手で取り扱うには持ちにくく危険であった外側容器を容易に安全に取り扱うことが出来るようにするものである。
【０００４】
【課題を解決するための手段】
本考案は、上記課題を解決するために大きな開口部を持つ外側容器に取手を付け、その取手に手提げを取り付ける。又大きな開口部を持つ外側容器の中に酒徳利を入れ熱湯又は氷水を大きな開口部を持つ外側容器と酒徳利の間に満たす。その上より酒徳利の口径に合わせて穴をあけたフチあご付き穴開き木蓋をかぶせ蓋をする。
【０００５】
【考案の効果】
本考案は、大きな開口部を持つ外側容器と様々な形状の酒徳利に、徳利の口径に合わせ穴を開けたフチあご付き穴開き木蓋を被せることにより、大きな開口部を持つ外側容器と酒徳利との間の開口部をふさぎ保温保冷能力を向上させるものである。更に大きな開口部を持つ外側容器と様々な形状の酒徳利の間にフチあご付き穴開き木蓋を被せることにより、フチあごと外側容器開口部がかみ合い横ずれを防ぎ、双方の間隔を保持し持ち運び時の酒徳利の倒れを防ぐことが出来る。また、外したフチあご付き穴開き木蓋はテーブルコースターとして使用し、濡れた徳利による机等の濡れを防止することが出来る。
また、大きな開口部を持つ外側容器に取手を付け、その取手に手提げを取り付けることにより、内部に熱湯及び氷水を満たした外側容器に手を触れることなく、湯燗冷酒器を容易に安全に取り扱うことが出来る。
【図面の簡単な説明】
【図１】本考案の側面図である
【図２】図１の断面図である
【図３】フチあご付き穴開き木蓋の斜視図である
【図４】フチあご付き穴開き木蓋の側面図である
【符号の説明】
１．外側容器
２．酒徳利
３．取手
４．手提げ
５．フチあご付き穴開き木蓋
６．フチあご
７．穴
８．熱湯及び氷水
【図１】
0003097621.tif 000003
【図２】
0003097621.tif 000004
【図３】
0003097621.tif 000005
【図４】
0003097621.tif 000006
(57)【要約】【課題】本考案は、ビル建設、マンション建設等、新築現場の竣工前の通水以降、床下・給排水のシャフト等、人が監視できない場所で大きな漏水事故にならないように、早期に漏水を発見すること。【解決手段】ビル、マンションなどで竣工前に、この漏水感知線は漏水を感知したい場所に予めセットしておき、満が一、漏水があれば漏水の水で、この漏水感知線の紙が濡れ２本の電線に導通がとれて、漏水を早く知ることができるものである。【選択図】　　　図１
0003097627.tif 000002
【実用新案登録請求の範囲】
【請求項１】
オフィスビルの水場、マンションの床下等での少量の漏水で早期に発見でき簡単に、必要な範囲にセットしたい場所に、セットできる漏水感知線である。
【考案の詳細な説明】
【０００１】
【考案の属する技術分野】本考案は、２本の並行に離れた電線に、微量の電流を流し、少量の水でも２本の電線を保護している紙に浸透し、電線に導通がとれる感知線である。
【０００２】
【従来の技術】
新築のオフィスとかマンション等の床下での漏水の発見は、竣工前の配管水圧テスト、流水テストを行なうが、現状では竣工後の監視はできていません。
漏水を発見するには、漏水が目視できる状態まであふれないと発見できません。
【０００３】
【考案が解決しようとする課題】
新築のオフィスとかマンションでは、竣工前に水圧テスト・排水管の流水テスト・満水テストを行なっていますが、特に新築マンション等では、引渡し後に１００戸に１戸程度の割合で漏水があり、程度の差はあるものの漏水を発見した時には多大な被害状況で、修理修復には入居者に対し、最悪の場合、家族全員ホテルの仮住まいを御願いしなければならない事にもなり、大変御迷惑、御不自由をお掛けします。又、施工会社は信用を失うと共に、修理修復費用も莫大に掛かり漏水事故後は、他の住戸の総点検も必要となり大変です。
工事竣工前の通水以降から、竣工後の引渡し入居後までの、漏水の監視と早期発見ができれば、被害を最小限に食い止める事ができ、入居者には御迷惑を御掛けする事も少なく修理をする事ができる。
【０００４】
【課題を解決するための手段】
本考案は２枚の紙テープで、１枚は貼り付け面を粘着付き紙テープ、巾１８ｍｍ程を、もう１枚を同一巾の紙テープの粘着無しで、その紙テープの長手方向に、２本の電線を平行に離して並べ、２枚の紙テープで挟み接着させ、長いテープ状の電線にした漏水感知線を用意します。
その感知線を、マンション等の竣工前に漏水があってはならない場所に、場所に合わせた長さでセットしておき、漏水があった場合に長いテープ状の漏水感知線の、どの部分に水が浸透しても２本の電線の間に絶縁抵抗が減少し、漏水を感知することができる感知線である。
【０００５】
【考案の実施の形態】
本考案は、２枚の紙テープの間に、長手方向に２本の電線を離して平行に並べ、電線を２枚の紙テープで挟み接着させた感知線である。
形状の詳細は２枚の紙テープの１枚は、内側片面粘着のあるテープ巾１８ｍｍ程で、もう一方の紙テープは同巾で、両面共粘着がない紙テープで長手方向に、２本の電線を離して平行に並べた状態で、２枚の紙テープで挟み接着させた感知線である。
【０００６】
【実施例】
以下、添付図面の形状を説明する。▲１▼は内側貼り付け面粘着付きにした紙テープで、その上に２本の電線▲２▼を、テープの長手方向に８〜１０ｍｍ離して並べ、もう片面の▲３▼の粘着なし紙テープで、▲２▼の電線を▲１▼と▲３▼のテープで両面から接着し、電線２本を紙テープの間に装着した感知線である。
上記で説明した、漏水感知線を新築マンション等の水場廻りの二重床に、セットすることにより、どこで漏水してもセットした漏水感知線の紙を浸透して２本の電線に、絶縁抵抗が減少し導通が取れ早期に漏水を発見することができる。
【考案の効果】
上記の漏水感知線を、ビル建設、マンション建設等、竣工前の給水通水時期にセットしておき、竣工前後の給水管、給湯管、排水管の漏水に対する早期発見ができるようにすれば、従来は、今でもそうですが入居後に漏水事故があれば必ず、入居者全住戸に点検チラシを配布し、各住戸の都合に合わせて床下の点検を一戸、々、懐中電灯で丹念に点検しなければなりませんでした。
しかし、この漏水感知線をセットする事により、漏水事故の早期発見と事故後の全住戸総点検がなくなり又、住戸にお住まいになられてからの、住人のミス例えば、自動洗濯機のホース抜け、子供のいたずら、など住居人の目の届かない所で漏水事故が起きても、漏水感知線がセットしてあれば感知し、知らせることができる。
【図面の簡単な説明】
【図１】本考案の製作姿図である。
【符号の説明】
▲１▼　紙テープ、貼り付け面粘着付き、約１８ｍｍ巾
▲２▼　電線２本
▲３▼　紙テープ粘着無し、約１８ｍｍ巾
【図１】
0003097627.tif 000003
【手続補正書】
【提出日】平成15年4月7日(2003.4.7)
【手続補正１】
【補正対象書類名】明細書
【補正対象項目名】実用新案登録請求の範囲
【補正方法】変更
【補正の内容】
【実用新案登録請求の範囲】
【請求項１】
オフィスビルの水場、マンションの床下等での少量の漏水で早期に発見でき簡単に、必要な範囲にセットしたい場所に、セットできる漏水感知線である。以下は形状の説明である。
図面に記載してある▲１▼は紙テープで片面粘着付き、▲２▼は電線２本、▲３▼は紙テープで両面共粘着無しである。▲１▼の粘着面に▲２▼の電線２本を平行に乗せ、▲３▼の粘着無しの紙テープを合わせ、２本の電線を紙テープでサンドイッチ接着させた形状の感知線である。
【手続補正書】
【提出日】平成15年6月19日(2003.6.19)
【手続補正１】
【補正対象書類名】明細書
【補正対象項目名】実用新案登録請求の範囲
【補正方法】変更
【補正の内容】
【実用新案登録請求の範囲】
【請求項１】
「片面粘着付き紙テープの粘着面に電線２本を平行に乗せ、両面共粘着無しの紙テープを合わせ、２本の電線を紙テープでサンドイッチ接着させた形状の感知線」
(57)【要約】　　　（修正有）【課題】嗜む情緒は従来のたばこと同じだが煙を嗜む内容は煙を吸うと言うのでなく煙の匂いを嗅ぐを嗜とする香煙たばこを提供する。【解決手段】香材を主原料とする管状たる可燃性の固体である。管の状態は筒状であり、マカロニー状でもある。巻紙を必要としない。管の形は円、四角、三角、六角等自在である。長さや太さも適宜でよい。喫煙の吸い口も適宜である。【選択図】　　図２
0003097686.tif 000002
【実用新案登録請求の範囲】
【請求項１】
中が空洞の香煙たばこ。
【考案の詳細な説明】
【０００１】吸うたばこでなく煙の匂いを嗅ぐたばこである。
【考案の属する技術分野】
【０００２】吸い口は適宜でよい。
【従来の技術】
【０００３】従来のたばこは煙を吸うが煙の匂いを嗜むものである。
【考案が解決しようとする課題】
管状の固体であって巻紙を必要としない。
【課題を解決するための手段】
着火発煙は従来のたばこと同じが煙を吸い込まずに煙の匂いを嗜むものである。
【考案の実施の形態】
図面の図１．図２が示す。
【考案の効果】
【図面の簡単な説明】
【図１】「平面図である。」
【図２】「側断面図である。」
【符号の説明】
１　　図２のＡは着火口
２　　図２のＢは喫煙口
【図１】
0003097686.tif 000003
【図２】
0003097686.tif 000004